(57)【要約】    【課題】雌雄部材の結合状態において、少なくとも雄側部材側のベルト通し孔を外部から見えなくした連結具を提供する。    【解決手段】雌雄部材（２，４）からなる連結具（１）である。前記雌部材（２）は、係合部を有する本体部（２１）と、ベルト通し孔部（２２）からなる。  前記雄部材（４）は、係合部を有する本体部（４１）と、ベルト通し孔部（４２）からなる。前記雌部材の前記本体部の正面表面をカバーする正面板（２３）は、連結完成時において、前記雄部材の前記ベルト通し孔部（４２）を遮蔽するに足りる長さの延長部（２３１）を有する。【選択図】図１
2009006079.tif 000002
【特許請求の範囲】
【請求項１】
雌雄部材（２，２Ａ，２Ｂ，２Ｃ；４，４Ａ，４Ｂ）からなる連結具（１；１Ａ；１Ｂ）であって、
前記雌部材（２，２Ａ，２Ｂ，２Ｃ）は、係合部を有する本体部（２１，２１Ａ，２１Ｂ，２１Ｃ）と、ベルト通し孔部（２２，２２Ａ，２２Ｂ，２２Ｃ）からなり、
前記雄部材（４，４Ａ，４Ｂ）は、係合部を有する本体部（４１，４１Ａ，４１Ｂ）と、ベルト通し孔部（４２，４２Ａ，４２Ｂ）からなり、
前記雌部材の前記本体部（２１，２１Ａ，２１Ｂ，２１Ｃ）の正面表面をカバーする正面板（２３，２３Ａ，２３Ｂ，２３Ｃ）は、連結完成時において、前記雄部材の前記ベルト通し孔部（４２，４２Ａ，４２Ｂ）を遮蔽するに足りる長さの延長部（２３１，２３１Ａ，２３１Ｂ，２３１Ｃ）を有することを特徴とする連結具。
【請求項２】
前記雌部材（２Ｃ）の前記本体部の正面表面をカバーする正面板（２３Ｃ）について、連結完成時において、前記雌部材（２Ｃ）の前記ベルト通し孔部（２２Ｃ）をも遮蔽するに足りる長さの後方延長部（２３２）をさらに有する請求項１記載の連結具（１Ｃ）。
【請求項３】
前記雄部材（４）は軸支された２つの爪（４８，４９）を有し、それぞれの爪は、先端に位置する爪頭部（５０）と、この爪頭部（５０）を支える基部（５１）からなり、
前記各爪頭部（５０）は曲面外周（５０１）と、角のある先端（５０２）を有し、
前記各基部（５１）は、軸（５２）を中心として回動可能であり、前記各基部（５１）の中央にはそれぞれ内方へ向かう突起（５３）があり、この突起（５３）と底面板（４７）の間を圧縮バネ（５４）が接続しており、
前記各爪頭部（５０）が最も外方へ移動したとき、前記各爪頭部は、正面板・背面板（２３，２４）の切り欠き（２８，２９）に位置する左右側板の開口（３０，３１）から露出し、前記各爪頭部の角のある先端（５０２）は左右側板（２５，２６）に当接して、位置がロックされる機構を有する請求項１又は２記載の連結具。
【請求項４】
前記雄部材（２Ｂ）は抜け止め（５８）を備えた係合突起（５７）を有し、
前記雌部材（２Ｂ）内部に左右対称に軸（３４，３５）が２本形成されており、前記各軸に回動可能に２つの爪（３６，３７）が取り付けられており、
前記２つの爪の先端側に圧縮バネ（３８）が取り付けられていて、前記各爪の先端（３６１）側は常に外方へ広げる方向に付勢されるのに対して、後端（３６２）側は回動軸を境にして先端側と反対方向の動きをするものであり、
連結時には、前記雄部材（２Ｂ）の係合突起（５７）を前記雌部材の本体（２１Ｂ）に挿入し、前記圧縮バネ（３８）の圧力に抗して、前記雌部材の各爪（３６，３７）の前記後端（３６２）により形成される隙間を押し広げ、挿入が終わると、前記爪先端（３６１）が外方へ押し出され、前記爪後端（３６２）が前記係合突起の抜け止め（５８）と係合して、その状態で位置がロックされる機構を有する請求項１又は２記載の連結具。
【請求項５】
請求項３において、突起（５３）と底面板（４７）の間を接続する圧縮バネ（５４）の代わりに、合成樹脂で成型された２つの爪（４８Ａ，４９Ａ）が合成樹脂の弾発力により回動するようにした機構を有する連結具。
【発明の詳細な説明】
【技術分野】
【０００１】
本発明は、ベルト状の紐の端部同士を連結する連結具に関する。この連結具は、例えば、衣服、かばん等において、バックルとして使用することができる。
【背景技術】
【０００２】
この種の連結具は多種多様のものが知られており、一例を挙げると、下記特許文献１のような発明がある。
【特許文献１】特開２０００−７９００５
【発明の開示】
【発明が解決しようとする課題】
【０００３】
この特許文献１に限らず、この種の連結具は雌雄部材からなり、各部材はベルト状の紐の端部と結合している。そのため各部材には紐を固定するためベルト通し孔が設けられている。特許文献１を例に取ると、雄部材のベルト通し孔はＨ２１、雌部材のベルト通し孔はＳ１１の符号で表されている。これらのベルト通し孔は紐によりふさがれるのであるが、余り見栄えのよいものではない。特にベルトと孔の間に隙間があいているときなどは、美観上好ましいものではない。
【０００４】
さらに、ベルト通し孔部で折り返されたベルトは周辺ベルト部よりも盛り上がっているので、いろいろなものに当たって摩耗しやすく、そのため、ベルトが弱体化したり、皮革表面や塗装がはげたりしやすい。
【０００５】
本発明では、雌雄部材の結合状態において、少なくとも雄側部材側のベルト通し孔を外部から見えなくすると共に、ベルト通し孔部付近のベルトを摩耗から保護することのできる連結具を提供することを目的とする。
【課題を解決するための手段】
【０００６】
雌雄部材からなる連結具であって、前記雌部材は、係合部を有する本体部と、ベルト通し孔部からなり、前記雄部材は、係合部を有する本体部と、ベルト通し孔部からなり、前記雌部材の前記本体部の正面表面をカバーする正面板は、連結完成時において、前記雄部材の前記ベルト通し孔部を遮蔽するに足りる長さを有することを特徴とする。
【発明の効果】
【０００７】
本発明によれば、前記雌部材の前記本体部の正面表面をカバーする正面板は、連結完成時において、前記雄部材の前記ベルト通し孔部を遮蔽するので、雄側部材側のベルト通し孔が外部から見えない。そのため、連結具の美観が向上した。
【０００８】
さらにベルト通し孔部付近のベルトが前記本体部の正面表面をカバーする正面板により覆われるので、外部と接触することが少ない。そのため、ベルト通し孔部付近のベルトが摩耗から保護される。
【発明を実施するための最良の形態】
【０００９】
本発明では、雌部材の本体部の正面表面をカバーする正面板が、連結完成時において、雄部材の前記ベルト通し孔部を遮蔽するに足りる長さがあればよく、雌雄部材の素材や連結機構はどのようなものでもよい。
【００１０】
必要に応じて、前記雌部材の前記本体部の正面表面をカバーする正面板について、連結完成時において、前記雌部材の前記ベルト通し孔部をも遮蔽するに足りる長さを持たせることもできる。そのようにすることにより、連結時において、連結具の両端からベルト通し孔部が完全に被覆される。
【００１１】
雌雄部材の連結機構としては、次のようなものがある。
【００１２】
（Ａ）前記雄部材（４）は軸支された２つの爪（４８，４９）を有し、それぞれの爪は、先端に位置する爪頭部（５０）と、この爪頭部（５０）を支える基部（５１）からなり、
前記各爪頭部（５０）は曲面外周（５０１）と、角のある先端（５０２）を有し、
前記各基部（５１）は、軸（５２）を中心として回動可能であり、前記各基部（５１）の中央にはそれぞれ内方へ向かう突起（５３）があり、この突起（５３）と底面板（４７）の間を圧縮バネ（５４）が接続しており、
前記各爪頭部（５０）が最も外方へ移動したとき、前記各爪頭部は、正面板・背面板（２３，２４）の切り欠き（２８，２９）に位置する左右側板の開口（３０，３１）から露出し、前記各爪頭部の角のある先端（５０２）は左右側板（２５，２６）に当接して、位置がロックされる機構。
【００１３】
（Ｂ）前記雄部材（２Ｂ）は抜け止め（５８）を備えた係合突起（５７）を有し、
前記雌部材（２Ｂ）内部に左右対称に軸（３４，３５）が２本形成されており、前記各軸に回動可能に２つの爪（３６，３７）が取り付けられており、
前記２つの爪の先端側に圧縮バネ（３８）が取り付けられていて、前記各爪の先端（３６１）側は常に外方へ広げる方向に付勢されるのに対して、後端（３６２）側は回動軸を境にして先端側と反対方向の動きをするものであり、
連結時には、前記雄部材（２Ｂ）の係合突起（５７）を前記雌部材の本体（２１Ｂ）に挿入し、前記圧縮バネ（３８）の圧力に抗して、前記雌部材の各爪（３６，３７）の後端（３６２）により形成される隙間を押し広げ、挿入が終わると、爪先端（３６１）が外方へ押し出され、爪後端（３６２）が係合突起の抜け止め（５８）と係合して、その状態で位置がロックされる機構。
【００１４】
（Ｃ）上記（Ａ）において、突起（５３）と底面板（４７）の間を接続する圧縮バネ（５４）の代わりに、合成樹脂で成型された２つの爪（４８Ａ，４９Ａ）が合成樹脂の弾発力により回動するようにした機構。
【００１５】
雌雄部材の素材としては、アルミ合金等の金属を使用することもでき、合成樹脂を使用することもできる。
【００１６】
金属で製作すれば、強度が高く、耐久性に優れ、重量感が得られる。特に、爪やバネを金属で製作すると、爪の動作が速く、的確になるという長所がある。合成樹脂で製作すれば、安価に製作することができるという長所がある。
【実施例１】
【００１７】
以下、添付の図面に基づき本発明の実施例を説明する。
【００１８】
図１及び図２は、本発明の第１実施例である。図１は（ａ）連結時、（ｂ）分離途中（見やすくするため分離した状態で描いている）、（ｃ）分離後の連結具の斜視図である。図２は、図１各図の平面図であるが、雄部材について、蓋を取り除いた状態である。なお、これらの図では、図１の（ａ）を除き、連結具を裏側（衣服の場合、着用者側、すなわち人目に付きにくい側）から描いている。図１の（ａ）のみは、表側から描いている。
【００１９】
これらの図において、連結具１は雌部材２と雄部材４からなり、各部材はアルミ合金のダイカスト製である。
【００２０】
雌部材２は、本体部２１と、本体後部に位置するベルト通し孔部２２からなる。
【００２１】
本体部２１は、正面板２３、背面板２４、左右側板２５，２６、底面板２７が一体成形されており、平面は結合用に開放されている。正面板２３は背面板２４よりも延長部２３１の長さだけ長く設定されている。延長部の長さは、少なくとも連結完成時に雄部材４のベルト通し孔部を覆うのに十分な長さとする。また、正面板２３及び背面板２４には左右側部に開口する切り欠き２８，２９が設けられている。左右側板は、前記切り込み２８，２９の部分が開口３０，３１となっている。
【００２２】
ベルト通し孔部２２には、横長のスリット３２が設けられ、ここにベルト６が通される。
【００２３】
雄部材４は、本体部４１と、本体後部に位置するベルト通し孔部４２からなる。
【００２４】
本体部４１は、正面板４３、背面板４４、左右側板４５，４６、底面板４７からなり、平面は開放されている。背面板４４はビスなどにより、後付が可能である（図１（ｃ）参照）。正面板４３は背面板よりも延長部の長さだけ長く設定されている。また、左右側板４５，４６上部にはそれぞれ回動可能な爪４８，４９が設けられている。
【００２５】
各爪４８，４９は、対称的なので、図２（ｃ）に基づき、片方の爪４８について述べる。爪４８は、先端に位置する爪頭部５０と、爪頭部を支える基部５１からなる。爪頭部５０は曲面外周５０１と、角のある先端５０２を有する。基部５１は、底面板と右側板からなるコーナー部付近に設けられた軸５２を中心として回動可能である。また、基部５１の中央には内方へ向かう突起５３があり、この突起５３と底面板４７の間を圧縮コイルバネ５４が接続している。したがって、基部５１は常に先端側の方向に付勢され、その状態では、爪頭部５０は外方に移動する。しかし、基部の突起５３の動きを制約する三角錐状のストッパー５５が正面板４３に設けられているため、基部５１の移動幅は自ずと制限される。
【００２６】
爪頭部５０が最も外方へ移動したとき、爪頭部５０は、正面板・背面板の切り欠き２８，２９に位置する左右側板の開口３０，３１から露出する（図１（ａ）、図２（ａ））。このとき、爪頭部５０の最先端５０２は左右側板２５，２６に当接して、位置がロックされる。
【００２７】
ベルト通し孔部４２には、横長のスリット５６が設けられ、ここにベルト７が通される。
【００２８】
この連結具の使用法について、順を追って述べると次のとおりである。
【００２９】
図１（ｃ）又は図２の（ｃ）の状態から、雌雄部材２，４を連結させるには、雄部材２の爪頭部５０を雌部材２の本体２１に挿入する。爪頭部５０は、曲面外周５０１が雌部材の右側板２５により、内方への圧力を受け、圧縮バネ５４に抗して内方へ移動する。挿入が終わると、圧縮バネ５４の回復圧力により、爪頭部５０が最も外方へ移動する。爪頭部５０は左右側板の開口３０から露出し（図１（ａ）、図２（ａ））、ロックされる。
【００３０】
連結している雌雄部材２，４を分離するには、上記と逆の手順による。露出している爪頭部５０を内方へ移動させるのは、使用者の指の力である。
【００３１】
連結完成時において、雄側部材のベルト通し孔部４２は、図１（ａ）、図２（ａ）に示すように、雌部材の正面板延長部２３１によって完全に隠れる。したがって、雄側部材４のベルト通し孔部４２は表側（衣服の場合、対面者側、すなわち人目に付きやすい側）からは見えない。
【００３２】
実施例１の付加的な効果として、全体が金属で製作されているため、強度が高く、耐久性に優れ、重量感があることがあげられる。また、爪４８，４９はバネ５４の作用を受けるため、動作が速く、的確である。総じて高級感のあふれる製品となる。
【実施例２】
【００３３】
図３は、本発明の第２実施例に係る連結具１Ａであり、分離後の連結具の斜視図である。雌雄部材とも合成樹脂製である。
【００３４】
雌部材は、実施例１と材質の違いを除けば同一構造である。符号は実施例１の対応符号に「Ａ」を付して使用している。
【００３５】
雄部材は、実施例１の２つの爪が２本の突起４８Ａ，４９Ａに置き換えられている点が異なる。
【００３６】
この実施例においても、連結完成時において、雄側部材４Ａのベルト通し孔部４２Ａは、雌部材２Ａの正面板延長部２３１Ａに完全に隠れる。
【００３７】
実施例２の付加的な効果として、全体が合成樹脂で製作されるので、部品数が少なく、安価に製作することができることがあげられる。
【実施例３】
【００３８】
図４〜６は、本発明の第３実施例に係る連結具１Ｂである。図４（ａ）は、連結時の斜視図、（ｂ）は、蓋を取った状態の斜視図である。図５は、雌部材の分解斜視図である。図６（ａ）は連結時、（ｂ）は分離後の連結具の平面図であるが、蓋を取り除いた状態で描いている。
【００３９】
これらの図において、連結具は雌部材２Ｂと雄部材４Ｂからなり、各部材はアルミ合金のダイカスト製である。
【００４０】
雄部材４Ｂは、図４（ｂ）に斜視図、図６（ｂ）に平面図で示すように、本体部４１Ｂと、本体後部に位置するベルト通し孔部４２Ｂからなる。
【００４１】
本体部４１Ｂは、ベルト通し孔部の壁が構成する底面板４７Ｂと、正面板４３Ｂとからなり、左右側面板はない。正面板４３Ｂに係合突起５７が形成されている。係合突起には、抜け止め５８が設けられている。
【００４２】
ベルト通し孔部４２Ｂには、横長のスリット５６Ｂが設けられ、ここにベルトが通される。
【００４３】
雌部材２Ｂは、本体部２１Ｂと、本体後部に位置するベルト通し孔部３２Ｂからなる。本体部２１Ｂは、図５に示すように、正面板２３Ｂと背面板４４Ｂを有する。正面板２３Ｂには、先端部に延長部２３１が形成されている。延長部２３１の長さは、少なくとも連結完成時に雄部材のベルト通し孔部４２Ｂを覆うのに十分な長さとする。
【００４４】
本体部２１Ｂは、図５に最もよく示されているように、背面板２４Ｂの中央には左右対称に軸３４，３５が２本形成されており、各軸にそれぞれ爪３６，３７が回動可能に取り付けられている。各爪の先端側には、図６に示すように、圧縮コイルバネ３８が取り付けられており、常に爪３６，３７の先端３６１側を広げる方向に付勢されている。後端側３６２は、回動軸３４，３５を境にして先端３６１側と反対方向の動きをする。
【００４５】
ベルト通し孔部２２Ｂには、横長のスリット３２Ｂが設けられ、ここにベルトが通される。
【００４６】
この連結具の使用法について、順を追って述べると次のとおりである。
【００４７】
雌雄部材２Ｂ，４Ｂを連結させるには、雄部材の係合突起５７を雌部材の本体２１Ｂに挿入する。係合突起５７は、圧縮バネ３８の圧力に抗して、雌部材の各爪３６，３７の後端３６２により形成される隙間を押し広げる。挿入が終わると、爪先端３６１は外方へ押し出され、爪後端３６２が係合突起の抜け止め５８と係合して、その状態で位置がロックされる（図４（ｂ）、図６（ａ））。
【００４８】
連結している雌雄部材２Ｂ，４Ｂを分離するには、上記と逆の手順による。外方へ押し出されている爪先端３６１を内方へ移動させるのは、使用者の指の力である。図６（ｂ）は、見やすくするため雌雄部材を分離して描いているが、分離途中の状態を示している。
【００４９】
連結完成時において、雄側部材４Ｂのベルト通し孔部４２Ｂは、図４（ａ）に示すように、雌部材の正面板の延長部２３１によって完全に隠れる。したがって、雄側部材４Ｂのベルト通し孔部４２Ｂは表側（衣服の場合、対面者側、すなわち人目に付きやすい側）からは見えない。
【００５０】
実施例３の付加的な効果として、雌雄部材が係合するときこすり合う部分が完全に器具内部に隠れてしまうので、塗装などがはげても外部からは見えないということがあげられる。
【実施例４】
【００５１】
図７は、実施例４に係る連結具の（ａ）雌部材斜視図と、（ｂ）連結完成時の斜視図である。双方とも正面側（衣服の場合、対面者側、すなわち人目に付きやすい側）から見ている。
【００５２】
実施例１〜３では、連結時に、雄部材のベルト通し孔部４２，４２Ａ，４２Ｂを雌部材の正面板の延長部２３１，２３１Ａ，２３１Ｂが隠している。これらの例では、雌部材自身のベルト通し孔部２２，２２Ａ，２２Ｂは隠されてはいない。実施例４では、雌部材の正面板２３Ｃの後方延長板２３２が雌部材自身のベルト通し孔部２２Ｃも隠すように設計されている。
【００５３】
実施例４においては、雄部材は実施例１と全く同じである。雌部材２Ｃも正面板２３Ｃの後方延長部２３２を除き実施例１と同様である。図７（ａ）に示すように、雌部材２Ｃのベルト通し孔部２２Ｃは厚みが薄く形成されている（例えば、全体厚みの１／３〜１／２）ので、これを隠す程度に正面板２３Ｃの後方延長部２３２を設けることが可能である。
【００５４】
実施例４では、図７（ｂ）に示すように、連結完成時において、連結具の両端にベルト通し孔部が現れない。そのため非常に美観が向上している。また、ベルト通し孔部２２Ｃ，４２Ｃを外部から完全に保護することができる。
【図面の簡単な説明】
【００５５】
【図１】本発明の第１実施例であり、（ａ）は連結時、（ｂ）は分離途中（見やすくするため分離した状態で描いている）、（ｃ）は分離後の連結具の斜視図である。これらの図では、図１の（ａ）を除き、連結具を裏側（衣服の場合、着用者側、すなわち人目に付きにくい側）から描いている。図１の（ａ）のみは、表側から描いている。
【図２】図１各図の平面図であるが、蓋を取り除いた状態で描いている。
【図３】本発明の第２実施例であり、分離後の連結具の斜視図である。
【図４】本発明の第３実施例であり、（ａ）は、連結時の斜視図、（ｂ）は、蓋を取った状態の斜視図である。
【図５】雌部材の分解斜視図である。
【図６】（ａ）は連結時、（ｂ）は分離途中の連結具の平面図であるが、雌雄部材を分離して描いている。共に蓋を取り除いた状態である。
【図７】実施例４に係る連結具の（ａ）雌部材斜視図と、（ｂ）連結完成時の斜視図である。
【符号の説明】
【００５６】
１，１Ａ，１Ｂ       ，１Ｃ        連結具
２，２Ａ，２Ｂ，２Ｃ        雌部材
２１，２１Ａ，２１Ｂ，２１Ｃ       本体
２２，２２Ａ，２２Ｂ，２２Ｃ       ベルト通し孔部
２３，２３Ａ，２３Ｂ，２３Ｃ       正面板
２３１ ，２３１Ａ，２３１Ｂ 正面板延長部
２３２  正面板後方延長部
２４，２４Ｂ，２４Ｃ 背面板
３０，３１    開口
３６，３７    爪
３６１ 爪先端
３６２ 後端側
３８   圧縮コイルバネ
４，４Ａ，４Ｂ       雄側部材
４１，４１Ａ，４１Ｂ 本体部
４２，４２Ａ，４２Ｂ ベルト通し孔部
４３，４３Ｂ  正面板
４４， 背面板
４７   底面板
４７Ｂ 底面板
４８，４９    爪
５０   爪頭部
５０１ 曲面外周
５０２ 角のある先端
５１   基部
５４   圧縮バネ
５７   係合突起
３４，３５    回動軸
３４，３５    軸
４８，４９    爪
【図１】
2009006079.tif 000003
【図２】
2009006079.tif 000004
【図３】
2009006079.tif 000005
【図４】
2009006079.tif 000006
【図５】
2009006079.tif 000007
【図６】
2009006079.tif 000008
【図７】
2009006079.tif 000009